(57)【要約】【課題】メタルフォーム定規を設置する時に交差部における穴合わせの必要がなく、当該交差部の面積が小さくなることから当該メタルフォームの間の上方からコンクリートの打設できる部分が大きくなるメタルフォーム定規に関する。【解決手段】２つの真直ぐなコンクリート基礎Ａが交差する交差部Ｂを形成するために構築されたメタルフォーム２の上方の横桟３上に載置固定される載置片４と、前記コンクリート基礎Ａを挟んで相対向するメタルフォーム２の上方の横桟３上の載置片４同士を連結する複数の取付片５とを一体的に形成したメタル定規であって、前記複数の取付片５は、前記交差部Ｂにおけるアンカーボルト６を固定し位置決めするための取付穴７を有する交差部取付片５１と、前記載置片４の端部側においてアンカーボルト６を固定し位置決めするための２以上の端部取付片５２とを有するものであることを特徴とするメタルフォーム定規１とする。【選択図】図２
2007186859.tif 000002
【特許請求の範囲】
【請求項１】
２つの真直ぐなコンクリート基礎が交差する交差部を形成するために構築されたメタルフォームの上方の横桟上に載置固定される載置片と、前記コンクリート基礎を挟んで相対向するメタルフォームの上方の横桟上の載置片同士を連結する複数の取付片とを一体的に形成したメタル定規であって、
前記複数の取付片は、前記交差部におけるアンカーボルトを固定し位置決めするための取付穴を有する交差部取付片と、前記載置片の端部側においてアンカーボルトを固定し位置決めするための２以上の端部側取付片とを有するものであることを特徴とするメタルフォーム定規。
【請求項２】
前記交差部は、Ｔ字型であることを特徴とする請求項１のメタルフォーム定規。
【請求項３】
前記交差部は、Ｌ字型であることを特徴とする請求項１のメタルフォーム定規。
【発明の詳細な説明】
【技術分野】
【０００１】
この発明は、建造物のコンクリート基礎の金属製型枠であるメタルフォームの上方の横桟に取付けて使用するメタルフォーム定規に関する。
【背景技術】
【０００２】
周知のように、図７等において示すように、建造物のコンクリート基礎Ａを構築する際には、金属製のコンクリート型枠であるメタルフォーム２が一般に使用されている。このメタルフォーム２は、コンクリート基礎Ａの幅の間隔を開けて互いに向かい合うように設置されており、その間隔の間に図外の鉄筋やアンカーボルトを配置してから、コンクリートを打設して硬化後にコンクリートから取り外すことによってコンクリート基礎Ａを構築するために使用するものである。この向い合っているメタルフォーム２の上方の横桟３には、向い合うメタルフォーム２の所定間隔距離を確保するためと、前記アンカーボルトを固定し位置決めするためのメタルフォーム定規３０が固定されている。この従来のメタルフォーム定規３０は、図６、図７に示すように、互いに向い合うメタルフォーム２の上方の横桟３に載置される２つの平行な載置片３１と、この２つの平行な載置片３１を連結し且つアンカーボルトを固定し位置決めするための複数の取付片３２とからなっている。複数の取付片３２は、２つの平行な直線状の載置片３１の一端部の間に連結された略正方形の広幅取付片３２ａと、２つの平行な載置片３１の他端部側の間に連結された１以上の細幅取付片３２ｂとから構成される。
【０００３】
このような従来のメタルフォーム定規３０を、例えば図７に示すように、２つの真直ぐなコンクリート基礎ＡがＬ字型に交差する交差部Ｂを形成するために構築されたメタルフォーム２の上方の横桟３上に設置するには２つのメタルフォーム定規３０を用いる。そのうちの一方のメタルフォーム定規３０の広幅取付片３２ａを交差部Ｂの真上に載置し、細幅取付片３２ｂ側を一方の真直ぐなメタルフォーム２の上方の横桟３上に載置する。次に、他方のメタルフォーム定規３０の広幅取付片３２ａを前記一方のメタルフォーム定規３０の広幅取付片３２ａ上に直角に重ね合わせるように載置して、細幅取付片３２ｂ側を他方の真直ぐなメタルフォーム２の上方の横桟３上に載置することによって行っている。この時、それぞれの広幅取付片３２ａの開けているアンカーボルトの取付穴７や載置片４を横桟３に固定するピンを嵌め込むピン穴１０等は直角方向に向きを変えて重ねても一致するように形成されている。このように２つの真直ぐなメタルフォーム定規３０を交差するように使用してＬ字型の交差部Ｂにおけるアンカーボルトの固定や位置決め、或いは横桟３へのピン止めを行っている。Ｔ字型の交差部においても図示していないが、ほぼ同様に、２つの真直ぐなメタルフォーム定規の広幅取付片や細幅取付片などを重ね合わせるようにして行っている。直線部分における重ね合せは、例えば、特許文献１に示されている。
【０００４】
【特許文献１】実開昭６４−３３８５３号公報
【発明の開示】
【発明が解決しようとする課題】
【０００５】
しかしながら、上記従来技術によると、交差部Ｂにおいてメタルフォーム定規３０の広幅取付片３２ａが位置するために、交差部Ｂにコンクリートを打設する際に邪魔になるという問題点がある。とくに、広幅取付片３２ａは、２つのメタルフォーム定規３０が直角方向に交差しても取付穴７やピン穴１０が上下一致するように開けなければならないので、その面積を大きく形成する必要があることから、広幅取付片３２ａがより大きくなる傾向があった。
【課題を解決するための手段】
【０００６】
この発明は、上記事情に鑑みてなされたものであって、その手段とするところは、請求項１の発明においては、２つの真直ぐなコンクリート基礎が交差する交差部を形成するために構築されたメタルフォームの上方の横桟上に載置固定される載置片と、前記コンクリート基礎を挟んで相対向するメタルフォームの上方の横桟上の載置片同士を連結する複数の取付片とを一体的に形成したメタル定規であって、前記複数の取付片は、前記交差部におけるアンカーボルトを固定し位置決めするための取付穴を有する交差部取付片と、前記載置片の端部側においてアンカーボルトを固定し位置決めするための２以上の端部側取付片とを有することにある。
【０００７】
請求項２の発明においては、前記交差部がＴ字型であることにある。
【０００８】
請求項３の発明においては、前記交差部がＬ字型であることにある。
【発明の効果】
【０００９】
上記請求項１の発明のメタルフォーム定規によると、２つの真直ぐなコンクリート基礎が交差する交差部を形成するために構築されたメタルフォームの上方の横桟上に載置固定される載置片と、前記コンクリート基礎を挟んで相対向するメタルフォームの上方の横桟上の載置片同士を連結する複数の取付片とを一体的に形成しているので、従来のように２つのメタルフォーム定規をその広幅取付片側において交差して穴合わせをして設置する必要がないので、交差部におけるメタルフォーム定規の取付作業が簡単に行え、作業能率が向上する。また、重なり部分がなくなることによって、アンカーボルトの取付穴やピン用のピン穴の形成位置の部分のみに交差部取付片を設ければよいので、その面積を小さくすることが出来る結果、２つのメタルフォームの間の上方からコンクリートの打設できる部分が大きくなり、作業能率が向上する利点がある。このような利点は、請求項２及び請求項３のように、前記交差部がＬ字型であってもＴ字型であっても同様の効果を得ることができる。
【発明を実施するための最良の形態】
【００１０】
この発明の実施の形態について以下図面に基づいて説明する。
この第１の実施形態のメタルフォーム定規１は、図１、図２及び図３に示すように、２つの真直なコンクリート基礎ＡがＬ字型に交差する交差部Ｂを形成するために所定の間隔を開けてＬ字型に構築されたメタルフォーム２の上方の横桟３上に載置されるもので、一方の真直ぐなコンクリート基礎Ａを形成するために所定間隔を開けて配置される２つのメタルフォーム２の横桟３上に載置される１組の載置片４と、もう一方の真直ぐなコンクリート基礎Ａを形成するために所定間隔を開けて配置される２つのメタルフォーム２の横桟３上に載置されるもう１組の載置片４とを、取付片５で連結固定して全体としてＬ字型に一体成形したものである。
【００１１】
前記取付片５は、前記した２つの平行な載置片４で構成される組がＬ字型に交差する交差部Ｂで相向い合う載置片４を連結固定し、且つ、アンカーボルト６の上方をボルト６１で固定し位置決めする取付穴７を形成した交差部取付片５１と、前記載置片４の交差部Ｂと反対側の端部側で相向い合う載置片４を連結固定し、且つ、アンカーボルト６の上方をボルト６１固定し位置決めする取付穴７を形成した端部側取付片５２とを有する。なお、図１、図２に示すように、この交差部取付片５１と端部側取付片５２の間に、更に、相向い合う前記載置片４を連結固定し、且つ、アンカーボルト６の上方をボルト６１で固定し位置決めする取付穴７を形成した中間取付片５３を設けることは、必要に応じて適宜選択される。
【００１２】
前記交差部取付片５１は、２つの真直ぐで平行な２組の載置片４がＬ字型に交差する交差部Ｂの所定位置において、取付腕８を介して相向い合う載置片４間に連結固定されている。この取付腕８の一端側は、Ｌ字型に交差する各載置片４の交差点９若しくはこの交差点９の近傍において連結固定され、他端が前記交差部取付片５１に連結固定されることによって、２つの真直ぐで平行な２組の載置片４をＬ字型に所定間隔を維持して連結固定すると共に、前記交差部取付片５１を前記交差部Ｂのアンカーボルト６をコンクリート基礎Ａに埋設すべき該当位置にのみにその取付穴７を形成できる必要な最小の面積を有するようにしている。アンカーボルト６の取付穴７は、コンクリート基礎Ａの種類に応じて対応できるように複数個形成されているが、その個数は限定されるものでない。
【００１３】
前記端部側取付片５２は、載置片４の端部側におけるアンカーボルト６を固定し位置決めするもので、交差部Ｂから所定距離の位置に設けられている。必要に応じて、目印１０やピン穴１１が形成されている。また、コンクリート基礎Ａの種類に応じてその固定位置を適宜選択できるように必要に応じて複数個の取付穴７が形成されている。
【００１４】
前記各組を構成するそれぞれの載置片４には、所定間隔を開けてその長手方向にピン穴１１、目印１０が形成されている。このピン穴１１はメタルフォーム定規１をメタルフォーム２の上の横桟３に固定するための図外のピンを差し込むためのもので、目印１０はメタルフォーム定規１をメタルフォーム２の所定位置に合わせる際に使用するものである。
【００１５】
上記の載置片４及び取付片５を有するメタルフォーム定規１は、所定厚さを有する鋼鉄板や硬質合成樹脂板を穴あけ加工或いは打抜き加工などによって平面状に一体成形したものが好ましいが、各部材を別々に成形加工して、段差が無いように平面状に継ぎ合わせて一体成形したものであってもよい。
【００１６】
このような構成からなるメタルフォーム定規１を使用する際には、構築すべきコンクリート基礎Ａの幅分の間隔を開けて相向い合うようにＬ字型に設置されているメタルフォーム２の上方の横桟３の上に対応する載置片４を載置するだけで良い。すると、交差部取付片５１は、形成すべき２つの真直ぐなコンクリート基礎Ａが交わる交差部Ｂの上方に位置するので、一度の作業で載置できる。その後、ピン穴１１からピンを差し込んで横桟３に固定してから、交差部取付片５１及び端部側取付片５２の取付穴７にアンカーボルト７を取付固定し位置決めする。このような準備が整ってから、２つのメタルフォーム２の間の上方からコンクリートを打設する。このとき、交差部Ｂにおいては、交差部取付片５１の面積が小さいので、コンクリートを打設し易く、又、打設したコンクリートの埋り状況を観察することが出来るので、作業能率が向上する。コンクリートが硬化した後に、メタルフォーム２を取り除く際にも、載置片４と取付片５が一体となっているので、１回の作業で取り除くことが出来、作業能率が向上する。
【００１７】
次に、第２の実施形態のメタルフォーム定規２１について、図４、図５に基づいて説明する。この第２の実施形態が前記第１の実施形態と異なるところは、第１の実施形態の交差部ＢがＬ字型であるのに対して、第２の実施形態の交差部ＢはＴ字型である点である。
すなわち、この第２の実施形態のメタルフォーム定規２０は、２つの真直なコンクリート基礎ＡがＴ字型に交差する交差部Ｂを形成するために所定の間隔を開けてＴ字型に構築されたメタルフォーム２の上方の横桟３上に載置されるもので、一方の真直ぐなコンクリート基礎Ａを形成するために構築され、所定間隔を開けて配置される２つのメタルフォーム２の横桟３上に載置される１組の載置片４と、これに直角に交差するもう一方の真直ぐなコンクリート基礎Ａを形成するために所定間隔を開けて配置される２つのメタルフォーム２の横桟３上に載置されるもう１組の載置片４とを、連結固定して全体としてＴ字型に一体成形したものである。
【００１８】
前記１組の載置片４は、両端部側においてそれぞれ端部側取付片５２によって連結固定されると共にその中間部においては中間取付片５３で連結固定されている。もう一方の１組の載置片４は、一端側において端部側取付片５２で連結固定されると共に他端側においてはその端部が前記１組の載置片４の中間取付片５３を固定した位置の載置片４の横に連結固定されている。このようにしてＴ字型のメタルフォーム定規２０が一体的に形成されているが、この第２の実施形態においては、前記中間取付片５３が前記第１の実施形態における交差部取付片５１の相当するものである。この中間取付片５３、すなわち交差部取付片５１は、端部側取付片５２と同じ面積と形状を有しているので、従来と較べて小さく形成できている。その他の構成及び形成の仕方は第１の実施形態と同じであるので説明を省略する。従って、一体成形されていることと合わせて、前記第１の実施形態と同様の作用効果を具備するものである。
【図面の簡単な説明】
【００１９】
【図１】第１実施形態にかかるメタルフォーム定規の平面図
【図２】第１実施形態にかかるメタルフォーム定規の斜視使用説明図
【図３】図２及び図５のＩＩＩ−ＩＩＩ線断面図
【図４】第２実施形態にかかるメタルフォーム定規の平面図
【図５】第２実施形態にかかるメタルフォーム定規の斜視使用説明図
【図６】従来のメタルフォーム定規の平面図
【図７】従来のメタルフォーム定規の斜視使用説明図
【符号の説明】
【００２０】
１    メタルフォーム定規
２    メタルフォーム
３    横桟
４    載置片
５    取付片
５１  交差部取付片
５２  端部側取付片
６    アンカーボルト
７    取付穴
【図１】
2007186859.tif 000003
【図２】
2007186859.tif 000004
【図３】
2007186859.tif 000005
【図４】
2007186859.tif 000006
【図５】
2007186859.tif 000007
【図６】
2007186859.tif 000008
【図７】
2007186859.tif 000009